(57)【要約】      （修正有）【課題】絵画用パネルをその上で描画しやすい角度に支持することができ、携帯も容易で、低コストで生産することができる絵画用パネル支持具を提供する。【解決手段】フレームを備える絵画用パネル支持具１０は、所定の間隔で平行になるよう構成された２枚の板状部材からなり、２枚の板状体の間に絵画用パネル５０のフレーム５１を挟持するフレーム挟持部１２と、フレーム挟持部に接続され、フレームを挟持する開放部の裏側に位置する支持部１１とからなり、絵画用パネルのフレームをフレーム挟持部で挟持することにより、絵画用パネルの板面が斜めに支持される。【選択図】図１
0003207769.tif 000002
【実用新案登録請求の範囲】
【請求項１】
フレームを備える絵画用パネルを支持する絵画用パネル支持具であって、
前記絵画用パネル支持具は、
所定の間隔で平行になるよう構成された２枚の板状部材からなり、その２枚の板状体の間に絵画用パネルのフレームを挟持するフレーム挟持部と、
前記フレーム挟持部に接続され、前記フレーム挟持部の前記フレームを挟持する開放部の裏側に位置する支持部とからなり、
前記絵画用パネルの１のフレームを前記フレーム挟持部で挟持することにより、前記絵画用パネルの板面が斜めに支持される機能を備えていること
を特徴とする絵画用パネル支持具。
【請求項２】
請求項１に記載の絵画用パネル支持具において、
前記支持部は、前記支持部だけで自立できるように支持する自立治具を備えていることを特徴とする絵画用パネル支持具。
【請求項３】
請求項２に記載の絵画用パネル支持具において、
前記絵画用パネル支持具は、前記支持部の前記自立治具に支持されている面と反対側の面の前記フレーム挟持部と反対側の使用時に下側となる部分に、前記絵画用パネルを下から支えることができる張り出しパネル支持治具が備えられていることを特徴とする絵画用パネル支持具。
【請求項４】
請求項１乃至請求項３のいずれか1項に記載の絵画用パネル支持具において、
前記フレーム挟持部の２枚の板状部材の片方又は両方に、２枚の板状部材の間隔を調節する間隔調節手段を備えていることを特徴とする絵画用パネル支持具。
【請求項５】
請求項１乃至請求項４のいずれか１項に記載の絵画用パネル支持具において、
前記支持部は開閉手段を備える中空構造を備えていることを特徴とする絵画用パネル支持具。
【請求項６】
請求項１乃至請求項５のいずれか１項に記載の絵画用パネル支持具において、
前記絵画用パネル支持具は、挟持するフレームの長手方向と垂直方向に伸縮する伸縮機構が備えられていることを特徴とする絵画用パネル支持具。
【請求項７】
請求項１乃至請求項６のいずれか１項に記載の絵画用パネル支持具において、
前記絵画用パネル支持具は、挟持するフレームの長手方法と平行方向に伸縮する伸縮機構が備えられていることを特徴とする絵画用パネル支持具。
【請求項８】
請求項１乃至請求項７のいずれか１項に記載の絵画用パネル支持具において、
前記絵画用パネル支持具は、フレーム挟持部の長手方法と平行方向に伸縮する伸縮機構が支持部の両側に備えられ、
前記伸縮機構の先端に絵画用パネルのフレーム挟持部に挟持されたフレームと直角に交わるフレームの外側を支持するパネル側面支持部が備えられていること
を特徴とする絵画用パネル支持具。
【請求項９】
請求項１乃至請求項８のいずれか１項に記載の絵画用パネル支持具において、
前記絵画用パネル支持具は、斜めに支持された絵画用パネルの下側となる辺に装着する、絵画用パネル上に載置された描画用紙を下から支えるこぼれ止め治具と同時に使用することを特徴とする絵画用パネル支持具。
【考案の詳細な説明】
【技術分野】
【０００１】
本考案は、絵画用パネルを描画しやすい角度に調節して支持する、絵画用パネル支持具に関する。
【背景技術】
【０００２】
油彩画等の絵画を描くときに、長方形の板面の周縁部をフレームで補強した絵画用パネルが用いられることが多い。絵画を描く際に、平面上に絵画用パネルを平たく置いておくと、描画対象の上下方向が間延びした状態で描かれてしまうことがある。また、水平に置かれた絵画用パネルに絵画を描くと、使用者の体位に負担がかかり、目の疲れや肩こりなどの生体的ストレスが生じることも多い。そこで、絵画を描く際には、絵画パネルを適切な角度に保持することができる画架（イーゼル）が用いられてきた。しかし、絵画を描く際には、絵画用パネルとともに絵具や筆などを収納する道具箱を携帯しなければならず、その上大きくてかさばる画架を携帯することは使用者の負担が大きいという問題があった。
【０００３】
そこで、このような問題を解決するために、上部が開口した箱体と、該箱体の蓋となると共に画材を支持する支持部材を備え、前記支持部材の一端は箱体に揺動可能に支持され、且つ当該支持部材の一端は箱体に沿ってスライド可能であることを特徴とする画架が知られている（特許文献１）。
【先行技術文献】
【特許文献】
【０００４】
【特許文献１】特開平８−１５４７６８
【考案の概要】
【考案が解決しようとする課題】
【０００５】
しかし、上述した従来の画架では、構造が複雑なため、製造コストがかかり、安価に提供することができなかった。
【０００６】
本考案はこのような事情に鑑みてなされたものであり、フレームを備えた絵画用パネルの角度を適切に調節することができ、構造が簡単で製造コストがあまりかからず安価に提供することができる絵画用パネル支持具を得ることを目的とする。
【課題を解決するための手段】
【０００７】
このような目的に応えるために本考案（請求項１記載の考案）に係る絵画用パネル支持具は、フレームを備える絵画用パネルの支持具であって、前記絵画用パネル支持具は、所定の間隔で平行になるよう構成された２枚の板状部材からなり、その２枚の板状体の間に絵画用パネルのフレームを挟持するフレーム挟持部と、
前記フレーム挟持部に接続され、前記フレーム挟持部の前記フレームを挟持する開放部の裏側に位置する支持部とからなり、
前記絵画用パネルの１のフレームを前記フレーム挟持部で挟持することにより、前記絵画用パネルの板面が斜めに支持される機能を備えていることを特徴とする。
【０００８】
このように構成することにより、前記絵画用パネル支持具は、画架のように絵画用パネル全体を支持して角度を設定することが必要なく、絵画用パネルの１のフレームを挟持して、挟持したフレームと対向するフレームと絵画用パネル支持具の前記挟持部と対向する底部とで前記会用パネルを斜めに立てることかできるので、画架に比べてはるかに小さく携帯が容易であるという利点がある。
【０００９】
さらに、単純な構造で、部材の数が少なく、サイズも小さいので、製造コストがあまりかからず、安価に提供することができる。
【００１０】
本考案（請求項２記載の考案）に係る絵画用パネル支持具は、請求項１に記載の絵画用パネル支持具において、前記支持部だけで自立できるように支持する自立治具を備えていることを特徴とす。
【００１１】
このように構成することにより、前記絵画用パネル支持具だけでも自立することができるので、支持された絵画用パネルの安定感が高まるという利点がある。
【００１２】
本考案（請求項３記載の考案）に係る絵画用パネル支持具は、前記支持部の前記自立治具に支持されている面と反対側の面の前記フレーム挟持部と反対側の使用時に下側となる部分に、前記絵画用パネルを下から支えることができる張り出しパネル支持治具が備えられていることを特徴とする。
【００１３】
このように構成することにより、自立している前記絵画用パネル支持具に絵画用パネルを載置して、描画中とは異なる角度で絵画を確認することができるという利点がある。
【００１４】
本考案（請求項４記載の考案）に係る絵画用パネル支持具は、  請求項１乃至請求項３のいずれか１項に記載の絵画用パネル支持具において、前記フレーム挟持部の２枚の板状部材の片方又は両方に、２枚の板状部材の間隔を調節する間隔調節手段を備えていることを特徴とする。
【００１５】
このように構成することにより、フレームが一定の太さに統一されていない様々な絵画用パネルを支持するときでも、前記絵画用パネル支持具の挟持部との間でのフレームのがたつきを抑え、多様な種類の絵画用パネルを安定して支持することができるという利点がある。
【００１６】
本考案（請求項５記載の考案）に係るパネル支持具は、  請求項１乃至請求項４のいずれか１項に記載の絵画用パネル支持具において、
前記支持部は開閉手段を備える中空構造を備えていることを特徴とする。
【００１７】
このように構成することにより、前記中空構造の中に前記間隔ｊ調節手段を収納して、前記絵画用パネル支持具を携帯することができるという利点がある。
【００１８】
本考案（請求項６記載の考案）に係る絵画用パネル支持具は、  請求項１乃至請求項５のいずれか１項に記載の絵画用パネル支持具において、前記絵画用パネル支持具は、挟持するフレームの長手方向と垂直方向又は平行方向に伸縮する伸縮機構が備えられていることを特徴とする。
【００１９】
このように構成することにより、挟持するフレームの長手方向と垂直方向に伸縮することで絵画用パネルの傾く角度を調節することができるという利点がある。
【００２０】
本考案（請求項７記載の考案）に係る絵画用パネル支持具は、  請求項１乃至請求項６のいずれか１項に記載の絵画用パネル支持具において、前記絵画用パネル支持具は、挟持するフレームの長手方向と平行方向に伸縮する伸縮機構が備えられていることを特徴とする。
【００２１】
このように構成することにより、挟持するフレームの長手方向の長さが長い時は前記絵画用パネル支持具の幅を広げて、前記絵画用パネルを安定して支持することができるという利点がある。
【００２２】
本考案（請求項８記載の考案）に係る絵画用パネル支持具は、請求項１乃至請求項７のいずれか１項に記載の絵画用パネル支持具において、前記絵画用パネル支持具は、フレーム挟持部の長手方向と平行方向に伸縮する伸縮機構が支持部の両側に備えられ、前記伸縮機構の先端に絵画用パネルのフレーム挟持部に挟持されたフレームと直角に交わるフレームの外側を支持するパネル側面支持部が備えられていることを特徴とする。
【００２３】
このように構成することにより、挟持するフレームの長手方向の長さが長い時は前記パネル側面支持部の幅を広げて、前記絵画用パネルを側面から支持することで、安定して支持することができるという利点がある。
【００２４】
本考案（請求項９記載の考案）に係る絵画用パネル支持具は、請求項１乃至請求項８のいずれか１項に記載の絵画用パネル支持具において、斜めに支持された絵画用パネルの下側となる辺に装着する、絵画用パネル上に載置された描画用紙を下から支えるこぼれ止め治具と同時に使用することを特徴とする。
【００２５】
このように構成することにより、斜めに支持された絵画用パネル上に描画用紙やスケッチブックを載置して描画を行う際に、前記描画用紙や前記スケッチブックが前記絵画用パネル上から滑り落ちることがないようにすることができるという利点がある。
【考案の効果】
【００２６】
以上説明したように本考案に係る遮絵画用パネル支持具によれば、安価に提供することができ、携帯に便利で、絵画用パネルを絵画を描くのに適切な角度に調節して支持することができる。
【００２７】
特に、本考案によれば、多様な太さのフレームを備える絵画用パネルについて、フレームの挟持部ががたついて支持が不安定になることもなく、さらに、がたつきを抑えるための治具も内部に収納して携帯することができるという利点がある。
【００２８】
また、本考案によれば、伸縮構造により絵画用パネルを支持する角度を変えたり、絵画用パネルの大きさによって支持が不安定にならないように幅を伸縮させたりすることもできるという利点がある。
【００２９】
さらに、本考案によれば、絵画用パネル上に描画用紙やスケッチブックを載置して描画を行う際にも、描画用紙やスケッチブックが滑り落ちないようにすることもできるという利点がある。
【図面の簡単な説明】
【００３０】
【図１】本考案に係る絵画用パネル支持具の一実施形態を示し、絵画用パネル支持具が絵画用パネルを支持している状態の全体図である。
【図２】図１の絵画用パネル支持具と絵画用パネルの側面図である。
【図３】絵画用パネル支持具に自立治具を装着した状態の図である。
【図４】図３の自立治具が絵画用パネル支持具を自立させている状態の側面図である。
【図５】絵画用パネル支持具に自立パネルを装着した状態の図である。
【図６】図５の自立パネルを装着した絵画用パネル支持具で絵画用パネル支持した状態の図である。
【図７】図５の自立パネルの操作法を示す図である。
【図８】パネル挟持部に背幅治具を嵌めん込んだ状態の絵画用パネル支持具が、絵画用パネルのフレームに嵌め込まれた状態の図である。
【図９】図６の状態の拡大側面図である。
【図１０】パネル挟持部幅調節パネルを嵌めん込んだ状態の絵画用パネル支持具の拡大側面図である。
【図１１】パネル挟持部幅調節パネルの平面図と断面図である。
【図１２】収納部を備えた絵画用パネル支持具の全体図である。
【図１３】高さ伸縮手段を備えた絵画用パネル支持具の側面図で、伸長された状態である。
【図１４】高さ伸縮手段を備えた絵画用パネル支持具の側面図で、収縮された状態である。
【図１５】脚板を備えた絵画用パネル支持具の側面図である。
【図１６】脚板に脚板調節治具を備えた絵画用パネル支持具の拡大側面図である。
【図１７】幅伸縮手段を備えた絵画用パネル支持具の側面図で、収縮された状態である。
【図１８】幅伸縮手段を備えた絵画用パネル支持具の側面図で、伸長された状態である。
【図１９】パネル側面支持部を備えた絵画用パネル支持具を示す図である。
【図２０】パネル側面支持部を備えた絵画用パネル支持具の側面図である。
【図２１】支持部と一体のフレーム挟持部に張り出しパネル支持治具が装着された状態を示す図である。
【図２２】こぼれ止め治具を使用している状態を示す図である。
【図２３】２台の絵画用パネル支持具を使用している状態を示す図である。
【考案を実施するための形態】
【実施例１】
【００３１】
図１ないし図２は本考案に係る絵画用パネル支持具の一実施形態を示すものである。
【００３２】
図１において、符号１０は、安価に提供することができ、携帯に便利で、絵画用パネル５０を絵画を描くのに適切な角度に調節して支持するための絵画用パネル支持具であり、支持部１１と絵画用パネルのフレームを挟持する第一のフレーム挟持部１２と第二のフレーム挟持部１３とによって構成されている。
【００３３】
図２は図１の側面図で、前記絵画用パネル５０を板面５２が上になるように、前記絵画用パネル５０の１のフレーム５１を前記第一のフレーム挟持部１２と第二のフレーム挟持部１３との間の開放部において挟持すると、前記第一のフレーム挟持部１２と第二のフレーム挟持部１３とによって挟持とによって挟持されたフレーム５１と対向するフレーム５１と、前記支持部１１の底部とで、前記絵画用パネル５０が、板面５２が斜めになるように支持される。
【実施例２】
【００３４】
図３は、本考案に係る絵画用パネル支持具の第二の実施形態を示すものであり、支持部１１にフレーム挟持部１２、１３の長手方向と平行な長手方向を有する略長方形の自立治具挿入孔１４を設け、略長方形の板状部材からなる自立治具２１をこの自立治具挿入孔に挿入し、自立治具２１の表面と自立治具挿入孔１４の表面との摩擦で自立治具２１が所定の位置で止まるように調節して、支持具の自立する角度を調節することができる。
【００３５】
図４は、支持部１１に自立治具２１を装着して、フレーム５１をフレーム挟持部１２、１３で挟持した状態の側面図であり、絵画用パネル５０が安定した状態で支持されている。
【実施例３】
【００３６】
図５は、本考案に係る絵画用パネル支持具の第三の実施形態を示す図であり、  支持部と一体のフレーム挟持部１９に断面がクランク状である板状体からなる張り出しフレーム挟持部が取り付けられ、支持部と一体のフレーム挟持部１９の張り出しフレーム挟持部側に自立パネル２２が自立パネル支柱２３によって係止されている。
【００３７】
図６において、（ａ）は自立パネル２２が、Ｌ字型の自立パネル支柱挿入孔２４を介して自立パネル支柱２３に係止している状態を示し、（ｂ）において自立パネル２２を矢印の方向に押し上げることにより自立パネル支柱２３が自立パネル支柱挿入孔２４の下部側に移動し、（ｃ）において自立パネル２２を矢印の方向にスライドさせることで、自立パネル２２の下部は（ａ）の状態より支持部と一体のフレーム挟持部１９の下部より上がり、この状態で自立パネル２２の下部を支持部と一体のフレーム挟持部１９の下部から離すと、斜めに傾いた支持部と一体のフレーム挟持部１９を自立パネル２２が支えて、支持部と一体のフレーム挟持部１９が自立する。
【００３８】
図７において、自立パネル２２に支えられて自立した支持部と一体のフレーム挟持部１９と張り出し支持部２０とが絵画用パネル５０のフレーム５１を挟持した状態の側面図であり、絵画用パネル５０が安定した状態で支持されている。
【実施例４】
【００３９】
図８は、本考案に係る絵画用パネル支持具の第四の実施形態を示す拡大図であり、  所定の厚さを有し、断面がコの字型となるように形成された板状体からなる背幅調節治具２１を第一のフレーム挟持部１２の板状部に嵌合させて、第一のフレーム挟持部１２と第二のフレーム挟持部１３との間の幅を狭くする。フレームの厚みは１５ｍｍ前後から２０ｍｍ前後までと、メーカーや製品ごとにばらつきがあるが、このような背幅調節治具を用いて第一のフレーム挟持部１２と第二のフレーム挟持部１３の幅を調節することで、フレーム５１はがたつきが生じないように挟持される。第一のフレーム挟持部１２に１枚の背幅調節治具を装着するだけで足りない場合には、第二のフレーム挟持部１３に同様の背幅調節治具を装着することもできる。
【００４０】
図９は、第一のフレーム挟持部１２に背幅調節治具２１を装着して、フレーム５１を挟持した状態の拡大側面図である。フレーム５１の幅より広い部分を背幅調節治具２１が埋めて、フレーム挟持部１２、１３とフレーム５１の間でがたつきが生じないようになっている。
【実施例５】
【００４１】
図１０は、本考案に係る絵画用パネル支持具の第五の実施形態を示すものであり、第一のフレーム挟持部１２に背幅調節ネジ孔３５を貫通するように挿入された背幅調節ネジ３２に、背幅調節パネル３１が取り付けられた状態の拡大側面図であり、（ａ）は第二のフレーム挟持部１３と背幅調節パネル３１の間隔を最大にした状態を、（ｂ）は第二のフレーム挟持部１３と背幅調節パネル３１の間隔を縮めた状態を示す。
【００４２】
図１１は、背幅調節ネジ３２を取り付けた背幅調節パネル３１の（ａ）平面図と（ｂ）Ａ−Ａ断面図であり、背幅調節パネル３１に取り付けたカバー３４の中で、背幅調節ネジ基台板３３が回転自在な状態となっており、背幅調節ネジ３２を回転させて背幅調節パネル３１と第二のフレーム挟持部との間隔を調整するときに、背幅調節パネル３１が背幅調節ネジ３２と同時に回転しないように構成されている。なお、背幅調節パネル３１に背幅調節ネジ３２を２以上取り付けるように構成してもよい。
【実施例６】
【００４３】
図１２は、本考案に係る絵画用パネル支持具の第六の実施形態を示す斜視図であり、支持部１１内部に収納部３６が設けられ、収納部蓋３７によって開閉自在に構成されている。収納部３６には、背幅調節治具２１などを収納して携帯することができる。
【実施例７】
【００４４】
図１３は、本考案に係る絵画用パネル支持具の第七の実施形態を示す側面図であり、フレーム５１を第一のフレーム挟持部１２と第二のフレーム挟持部１３とで挟持した解放部の裏側に上部伸縮支持具１５を設け、上部伸縮支持具１５の外側を下部伸縮支持具１６が覆うように構成されており、下部伸縮支持具１６に設けられた伸縮調節ネジ孔１８を貫通して挿入された伸縮調節ネジ１７を締めることにより、下部伸縮支持具１６と上部伸縮支持具１５とを固定して、絵画用パネル５０の傾き角度を定めることができる。
【００４５】
図１４は、上部伸縮支持具１５と下部伸縮支持具１６とを最も短くした状態を示す側面図である。
【実施例８】
【００４６】
図１５は、本考案に係る絵画用パネル支持具の第八の実施形態を示す側面図であり、支持部１１の、フレーム５１を第一のフレーム挟持部１２と第二のフレーム挟持部１３とで挟持する解放部の反対側に、脚板（短）４０と脚板（長）４１とを設けるように構成されている。このように構成することで、支持部１１の姿勢を安定させることができる。
【００４７】
図１６のように、脚板調節治具４２を脚板（短）４０と脚板（長）４１とに適宜装着することで、パネル５０の角度が変わっても、安定して支持することができように構成されている。
【実施例９】
【００４８】
図１７は、本考案に係る絵画用パネル支持具の第九の実施形態を示すものであり、パネル５０の幅がさほど大きくない場合は、支持部４３を閉じた状態で使用することができる。
【００４９】
図１８は、パネル５０の幅が広い場合に不安定にならないように、支持具幅調節板４６に挿入された保持具支持部幅調節板４４をスライドさせることより、支持具４３の幅を広げた状態を示す。
【実施例１０】
【００５０】
図１９は、本考案に係る絵画用パネル支持具の第十の実施形態を示すものであり、支持部と一体のフレーム挟持部１９と張り出しフレーム２０の間にスライド４８を通し、スライド４８の端にパネル側面支持具４７を取り付け、パネル側面支持具４７の幅を調節することができる。
【００５１】
図２０は、パネル側面支持具４７を使用して絵画用パネル５０を支持している状態の側面図である。
【実施例１１】
【００５２】
図２１は、本考案に係る絵画用パネル支持具の第十一の実施形態を示すものであり、支持部と一体のフレーム挟持部１９の下部に張り出しパネル支持治具５３を装着した状態を示す。これにより、絵画用パネル５０に描画中に、角度を変えて垂直に近く立てられた状態で絵画を確認することができる。
【実施例１２】
【００５３】
図２２は、本考案に係る絵画用パネル支持具の第十二の実施形態を示すものであり、斜めに支持した絵画用パネル５０部の下部に、こぼれ止め治具５４を装着した状態を示す。これにより絵画用パネル５０上の描画用紙やスケッチブックが滑り落ちることを防止することができる。
【００５４】
なお、本考案は上述した実施の形態で説明した構造には限定されず、各部の形状、構造等を適宜変形、変更し得ることはいうまでもない。
【００５５】
パネルの周囲だけでなく、中央部にフレームが設けられている場合に、その中央部のフレームを挟持することもできる。
【００５６】
また、張り出しパネル支持治具５３は、支持具１１や支持部と一体のフレーム挟持部１９に着脱自在に装着できるように構成することもできる。
【００５７】
さらに図２３のように、大きさの異なる支持具によって絵画用パネルの上下のフレームを挟持することによって、絵画用パネルを載置する台が低い場合などに、絵画用パネル全体の位置をより高くすることもできる。勿論、これらに限定されないことも言うまでもない。
【産業上の利用可能性】
【００５８】
本考案の絵画用パネル支持具は、描画の際に用いられるだけでなく、絵画等の展示の際にも使用することができる。これらもまた本考案の権利範囲である。
【符号の説明】
【００５９】
１０    絵画用パネル支持具
１１    支持部
１２    第一のフレーム挟持部
１３    第二のフレーム挟持部
１４    自立治具挿入孔
１５    上部伸縮支持具
１６    下部伸縮支持具
１７    伸縮調節ネジ
１８    伸縮調節ネジ孔
１９    支持部と一体のフレーム挟持部
２０    張り出しフレーム挟持部
２１    自立治具
２２    自立パネル
２３    自立パネル支柱
２４    自立パネル支柱挿入孔
３０    背幅調節治具
３１    背幅調節パネル
３２    背幅調節ネジ
３３    背幅調節ネジ基台板
３４    カバー
３５    背幅調節ネジ孔
３６    収納部
３７    収納部蓋
３８    収納部蓋つまみ
４０    脚板（短）
４１    脚板（長）
４２    脚板調節治具
４３    支持部
４４    支持部幅調節板
４５    固定ネジ
４６    支持具幅調節板保持具
４７    パネル側面支持部
４８    スライド
５０    絵画用パネル
５１    フレーム
５２    パネル板面
５３    張り出しパネル支持治具
５４    こぼれ止め治具
５５    こぼれ止め治具固定ネジ
【図１】
0003207769.tif 000003
【図２】
0003207769.tif 000004
【図３】
0003207769.tif 000005
【図４】
0003207769.tif 000006
【図６】
0003207769.tif 000007
【図７】
0003207769.tif 000008
【図８】
0003207769.tif 000009
【図９】
0003207769.tif 000010
【図１０】
0003207769.tif 000011
【図１１】
0003207769.tif 000012
【図１２】
0003207769.tif 000013
【図１３】
0003207769.tif 000014
【図１４】
0003207769.tif 000015
【図１５】
0003207769.tif 000016
【図１６】
0003207769.tif 000017
【図１７】
0003207769.tif 000018
【図１８】
0003207769.tif 000019
【図１９】
0003207769.tif 000020
【図２０】
0003207769.tif 000021
【図２１】
0003207769.tif 000022
【図２２】
0003207769.tif 000023
【図２３】
0003207769.tif 000024
【図５】
0003207769.tif 000025